【事件の表示】
　特許第３４６７０８５号「画像表示装置」の請求項１、２に係る特許に対する特許異議の申立てについて、次のとおり決定する。
【結　論】
　特許第３４６７０８５号の請求項１及び２に係る特許を取り消す。
【理　由】
第１．手続の経緯
　本件特許第３４６７０８５号の請求項１及び２に係る発明は、平成６年８月２４日に特許出願され、平成１５年８月２９日にその設定登録がなされ、その後、面沢寿江より特許異議の申立てがなされ、平成１６年１０月１５日付けで取消理由通知がなされ、その指定期間内である平成１６年１２月２１日に特許異議意見書の提出がなされたものである。
　　　
第２．本件発明
　特許第３４６７０８５号の請求項１及び２に係る発明（以下、「本件発明１及び２」という。）は、その特許請求の範囲の請求項１及び２に記載された次の事項により特定されるものである。
　「【請求項１】予め定められた順に画像データを記憶した記憶手段から所定のタイミングで順番に所定の画素毎に画像データを読み出して表示装置に画像を表示する画像表示装置において、
　前記記憶手段に記憶された原画像と同一の画像を表示するための画像データから、画面上下部又は画面左右部に対応する部分では画素ラインの選択数を少なくして画像データを粗く読み出し、且つ画面中央部に対応する部分では画素ラインの選択数を多くして細かく読み出して、立体的な視覚効果を持った画像を表示することを特徴とする画像表示装置。
　【請求項２】画面上下部に対応する部分では中央から上部に向かって及び中央から下部に向かって画素ラインの選択数を徐々に少なくして画像データを粗く読み出し、且つ画面中央部に対応する部分では原画像と同一の画像を表示する場合と同様の画素ラインを選択することにより画素ラインの選択数を多くして細かく読み出す請求項１に記載の画像表示装置。」
　　　
第３．取消理由通知の概要
　当審が平成１６年１０月１５日付けで通知した取消理由は、本件発明１及び２は、刊行物である下記の第１引用例乃至第７引用例に記載された発明に基づいて当業者が容易に発明をすることができたものであるから、その特許は、特許法第２９条第２項の規定に違反してされたものである、というものである。
　第１引用例：特開昭６３−９４３７５号公報
　　　　　　（異議申立人面沢寿江が提示した甲第１号証）
　第２引用例：特開昭５９−４０６８７号公報（同甲第２号証）
　第３引用例：特開昭５５−２８６６０号公報（同甲第３号証）
　第４引用例：特開昭６３−１１１５８４号公報
　第５引用例．特開平５−１６８７４５号公報
　第６引用例．特開平６−２１００５７号公報
　第７引用例．特開平５−１２３４４１号公報
　　
第４．当審の判断
１．引用例に記載の発明　　　　　　　　
　（１）第１引用例に記載の発明
　i．第１引用例〔特開昭６３−９４３７５号公報〕には、以下の事項が記載されている。
　「上記副走査方向のアドレスとラスタ方向のアドレスに基づいて地表の平面画を記憶させたメモリから、高度前後の傾斜、左右の傾斜に応じた画像信号を読出するステップとよりなる一点透視画像表示方法である。上記メモリには各部が同一縮尺である地表の風景（地図）である平面画を記憶させておき、かつ、上記ラスタ方向のアドレスは遠くの方（奥行きが深い）程、間引かれる画像データを多くし（上記△ｘを大きくし）、また各ラスタに対応するアドレスも遠くの方程間引率を多くすると同時に、上記２つのアドレス及びラスタ方向の初期アドレスｘ０は高度、前後の傾き、左右の傾きに対応して変化するようになっている。上記構成により飛行機の高度、前後左右の傾きに応じた一点透視画が得られるのである。」（第２頁左上欄第１７行〜右上欄第１３行）、
　「第１図はこの発明の概要図である。第１のメモリ１には平面的な地図が記憶されており、例えば、水平に飛んでいる飛行機の操縦席から見える範囲が第１図（ａ）に示す扇形内の風景であるとすると、操縦者の目にはこの風景が一点透視的に見えるはずである。そこで、上記扇形の範囲の風景に対応する画像信号を適度に間引くことが行われる。すなわち、奥行き方向（−ｙ方向）の各ラスタに対応する画像信号列（ｙ方向アドレス）を選択するについては、奥行きが深くなるにしたがってアドレスの幅（間引き数△ｚ）を多くする（△ｚ１＜△ｚｋ＜△ｚｎ−１）。次に上記のようにして決定されたｙ方向の各アドレスのラスタ方向信号列のそれぞれについても奥行きに応じて間引する。すなわち、最も手前のラスタ（画面下のラスタ）に対応するラスタ方向の画像信号は高度に対応して△ｘ１間引かれるのみとし、奥行きが深くなるに従って間引の数を次第に多く（△ｘｋ＜△ｘｎ）するのである。」（第２頁右上欄第１５行〜左下欄第１３行）、
　「このようにして第１のメモリ１から読出された画像信号は一旦表示用の第２のメモリ２又は２’に収納され、ここで必要に応じて画像回転処理がなされて表示装置に表示される。」（第２頁右下欄第１５〜１８行）、
　「以上説明したようにこの発明は、機体の前後左右の傾き及び高度に応じた一点透視画像が得られるようになっているので、この発明をゲーム機に応用した場合、臨場感及び遠近感に富んだ画面が得られる効果がある。」（第４頁左上欄第１〜５行）。
　ii．これらの記載事項及び図面によれば、第１引用例には、以下の発明（以下、「引用発明」という。）が記載されていると認められる。
　「平面画を記憶したメモリ１から所定のタイミングで順番に所定の範囲の画像データを読み出して表示装置に画像を表示する画像表示装置において、各部が同一縮尺である平面画を記憶した前記メモリ１から、副走査方向のアドレスに基づいて奥行きが深くなるにしたがってアドレスの幅（間引き数△ｚ）を多くして画像データを読み出すとともに、ラスタ方向のアドレスに基づいて奥行きが深くなるにしたがって間引かれる画像データ（アドレス間隔△ｘ）を多くして画像データを読み出して、臨場感及び遠近感に富んだ一点透視画像を表示する画像表示装置。」
　　
　（２）第５引用例に記載の発明
　i．第５引用例〔特開平５−１６８７４５号公報〕には、以下の事項が記載されている。
　「【請求項１】　それぞれ各種の絵柄１を有する３つの絵柄フレーム２ａ、２ｂ、２ｃを平面の液晶盤面３に表示してスロットゲームができるスロットマシンにおいて、前記３つの絵柄フレーム２ａ、２ｂ、２ｃに対応する液晶盤面３の表面には、各絵柄フレーム２ａ、２ｂ、２ｃがドラム状に丸く回転して見えるよう凸形のレンズ４を被着して構成したことを特徴とするスロットマシンの液晶盤面構造。」（第２頁第１欄第２〜９行）。
　　　　
　（３）第６引用例に記載の発明
　i．第６引用例〔特開平６−２１００５７号公報〕には、以下の事項が記載されている。
　「【請求項１】　表示面が外側を向くように配置された液晶フィルムと、前記液晶フィルムに所定の画像が表示されるように液晶フィルムを駆動する駆動手段と、前記液晶フィルムの表示面側と反対側から液晶フィルムに光を照射する光照射手段と、を備えたパチンコ遊技機の表示装置。」（第２頁第１欄第２〜７行）、
　「この数字の表示部位の移動の際にも液晶フィルム６０が湾曲されているので、液晶フィルム６０上に表示する数字の大きさを変化させなくても、液晶フィルム６０の上方側及び下方側に表示されているときには遊技者からは小さく見える。このため、立体感、遠近感を演出するための複雑な制御も不
要である。」（第４頁第５欄第１９〜２５行）、
　「【００２５】なお、液晶フィルム６０を湾曲させる代わりに、液晶フィルム６０に表示するドットの大きさ及び間隔を、液晶フィルム６０上の位置に応じて変化させるようにしてもよい。例えば、液晶フィルム６０の中央部に表示するドットの大きさ及び間隔を大きくし、液晶フィルム６０の上方側及び下方側に向かうに従ってドットの大きさ及び間隔が小さくなるように構成すれば、表示面が遊技者側に凸となっている印象を遊技者に与えることができる。また、液晶フィルム６０の中央部に表示するドットの大きさ及び間隔を小さくし、液晶フィルム６０の上方側及び下方側に向かうに従ってドットの大きさ及び間隔が大きくなるように構成すれば、表示面が遊技者側に凹となっている印象を遊技者に与えることができる。このようにドットの大きさ及び間隔を変化させた場合にも、複雑な制御を行うことなく立体感、遠近感を演出することができる。」（第４頁第５欄第３３〜４８行）。
　　　　
　（４）第２、３、４、７引用例に記載の発明
　i．第２引用例〔特開昭５９−４０６８７号公報〕、第３引用例〔特開昭５５−２８６６０号公報〕、第４引用例〔特開昭６３−１１１５８４号公報〕、及び第７引用例〔特開平５−１２３４４１号公報〕には、原画像を記憶した記憶手段から所定の規則で画像データを読み出すことで、遠近的な視覚効果を持った画像を画像表示装置に表示することを含めて、任意の変形画像を生成し表示する周知技術が記載されている。
　　
２．本件発明２と引用発明との対比検討
　（１）本件発明２の認定
　本件発明２について、本件発明１を引用する箇所を含めて全文記載を行うと、その発明の１つの形態は、以下に特定される構成のものと認められる。
　「【請求項２】予め定められた順に画像データを記憶した記憶手段から所定のタイミングで順番に所定の画素毎に画像データを読み出して表示装置に画像を表示する画像表示装置において、
　前記記憶手段に記憶された原画像と同一の画像を表示するための画像データから、画面上下部に対応する部分では中央から上部に向かって及び中央から下部に向かって画素ラインの選択数を徐々に少なくして画像データを粗く読み出し、且つ画面中央部に対応する部分では原画像と同一の画像を表示する場合と同様の画素ラインを選択することにより画素ラインの選択数を多くして細かく読み出して、立体的な視覚効果を持った画像を表示することを特徴とする画像表示装置。」
　　　
　（２）本件発明２と引用発明との対比
　i．本件発明２と引用発明とを対比すると、両者は、いずれも画像表示装置であって、引用発明における「メモリ１」及び「平面画」は、それぞれ本件発明２における「記憶手段」及び「原画像」に相当する。
　ii．そして、引用発明における「副走査方向のアドレスに基づいて奥行きが深くなるにしたがってアドレスの幅（間引き数△ｚ）を多くして画像データを読み出す」構成は、本件発明２の表現に従えば、「画面下部に対応する部分では画面上下方向の画素ラインの選択数を多くして細かく読み出し、画面上部に対応する部分では画面下部から画面上部に向かって画面上下方向の画素ラインの選択数を徐々に少なくして画像データを粗く読み出す」構成に相当する。
　iii．また、引用発明における「ラスタ方向のアドレスに基づいて奥行きが深くなるにしたがって間引かれる画像データ（アドレス間隔△ｘ）を多くして画像データを読み出す」構成は、同じく本件発明２の表現に従えば、「画面下部に対応する部分では画面左右方向の画素の選択数を多くして細かく読み出し、画面上部に対応する部分では画面下部から画面上部に向かって画面左右方向の画素の選択数を徐々に少なくして画像データを粗く読み出す」構成に相当する。
　iv．そうすると、引用発明における、「画面上部に対応する部分では画面下部から画面上部に向かって画面上下方向の画素ラインの選択数及び画面左右方向の画素の選択数を徐々に少なくして画像データを粗く読み出し、画面下部に対応する部分では画面上下方向の画素ラインの選択数及び画面左右方向の画素の選択数を多くして細かく読み出す」構成は、本件発明２における、「画面上下部に対応する部分では中央から上部に向かって及び中央から下部に向かって画素ラインの選択数を徐々に少なくして画像データを粗く読み出し、且つ画面中央部に対応する部分では原画像と同一の画像を表示する場合と同様の画素ラインを選択することにより画素ラインの選択数を多くして細かく読み出す」構成と対比して、いずれも、「画面上部に対応する部分では画面特定部から画面上部に向かって画素ラインの選択数を徐々に少なくして画像データを粗く読み出し、且つ画面特定部に対応する部分では画素ラインの選択数を多くして細かく読み出す」構成において一致する。
　また、本件発明２は、その特許明細書に「この時の画素ライン毎の画像データは中央部が細かく上下部が粗くなっているため図６に示すように中央部が盛り上がったような立体的視覚効果が得られる。」（段落００１８）、「本発明によれば、１つの原画像の画像データから必要な画像データのみ読み出して表示するようにしているため、原画像に対して遠近感を持たせたり湾曲したイメージにしたりして立体的な視覚効果を持った画像を表示することができる、という効果が得られる。」（段落００２８）と記載されるように、画面中央部が盛り上がったような画像、あるいは、遠近感を持たせた画像を表示することで、「立体的な視覚効果を持った画像を表示する」作用機能のものであるから、引用発明における「臨場感及び遠近感に富んだ一点透視画像を表示する」作用機能は、本件発明２における、遠近感を持たせた画像を表示するという前記作用機能の一形態というべきものである。
　v．してみると、本件発明２と引用発明の両者は、以下の点で、それぞれ一致ならびに相違するものと認められる。
　一致点．「予め定められた順に画像データを記憶した記憶手段から所定のタイミングで順番に所定の画素毎に画像データを読み出して表示装置に画像を表示する画像表示装置において、
　前記記憶手段に記憶された原画像と同一の画像を表示するための画像データから、画面上部に対応する部分では画面特定部から画面上部に向かって画素ラインの選択数を徐々に少なくして画像データを粗く読み出し、且つ画面特定部に対応する部分では画素ラインの選択数を多くして細かく読み出して、立体的な視覚効果を持った画像を表示する画像表示装置。」
　相違点．本件発明２は、画面上下部に対応する部分では中央から上部に向かって及び中央から下部に向かって画素ラインの選択数を徐々に少なくして画像データを粗く読み出し、且つ画面中央部に対応する部分では原画像と同一の画像を表示する場合と同様の画素ラインを選択することにより画素ラインの選択数を多くして細かく読み出す構成であるのに対して、引用発明は、画面上部に対応する部分では画面下部から画面上部に向かって画面上下方向の画素ラインの選択数及び画面左右方向の画素の選択数を徐々に少なくして画像データを粗く読み出し、且つ画面下部に対応する部分では画面上下方向の画素ラインの選択数及び画面左右方向の画素の選択数を多くして細かく読み出す構成である点。
　　　　
　（３）相違点の検討
　i．本件発明２と引用発明との相違は、要するに、立体的な視覚効果を持った画像を表示する処理方式において、画面上下方向の画素ラインのみを対象に、その選択数を徐々に少なくするか、あるいは、画面上下方向の画素ライン及び画面左右方向の画素の両者を対象に、その選択数を徐々に少なくするかという点、及び、画素ラインの選択数を徐々に少なくするときに基準とする画面特定部をどの位置に設定し、該画面特定部における画素ラインについて、多くして細かく読み出すときの選択数をどの程度にするかという点にあるものと認められる。
　ii．ところで、平面的な原画像を変形させて画面中央部が盛り上がったような立体的視覚効果が得られる画像を表示することは、本件発明１及び２の実施例であるパチンコ遊技機等の技術分野において、周知の課題及び技術（例えば、第５引用例〔特開平５−１６８７４５号公報〕、第６引用例〔特開平６−２１００５７号公報〕参照。）である。
　すなわち、第５引用例には、絵柄フレームを表示する液晶盤面の表面に凸形のレンズを被着して、該絵柄フレームがドラム状に丸く回転して見えるようにしたスロットマシンの液晶表示装置の発明が開示されており、絵柄フレームがドラム状に丸く見えるということは、画像の画面左右方向を変形することなく画面上下方向のみを変形して画面中央部が盛り上がったような立体的視覚効果が得られる画像を表示することを作用目的とするものである。
　また、第６引用例には、液晶フィルムを湾曲させたり、あるいは、液晶フィルムの中央部に表示するドットの大きさ及び間隔を大きくするとともに、液晶フィルム６０の上方側及び下方側に向かうに従ってドットの大きさ及び間隔が小さくなるように構成して、立体感、遠近感を表示することができるようにしたパチンコ遊技機の表示装置の発明が開示されており、液晶フィルムを湾曲させる、あるいは、液晶フィルムの中央部から上方側及び下方側に向かうに従って表示するドットの大きさ及び間隔が小さくなるように構成するということは、いずれも画像の画面上下方向を変形して画面中央部が盛り上がったような立体的視覚効果が得られる画像を表示することを作用目的とするものである。
　なお、第６引用例に記載の後者の発明では、画像の画面左右方向をも変形しているが、左右方向に並んだ複数の画像を上下方向に移動表示することを前提とする表示装置において、前記画像を画面中央部で盛り上がったような立体的視覚効果が得られるように表示するためには、第６引用例に記載の前者の発明に開示されるように、少なくとも画像の画面上下方向を変形すれば足りることは、当業者からみて明らかというべきである。
　iii．また、平面的な原画像を変形させて画面中央部が盛り上がったような立体的視覚効果が得られる画像を表示することは、前記ii．に示すように周知の課題及び技術であるから、画面上下方向の画素ラインの選択数を徐々に少なくするときに基準とする画面特定部を画面中央部におき、該画面中央部に対応する部分で原画像と同一の画像を表示する場合と同様の画素ラインを選択することは、立体的視覚効果が最も着目される画像の領域が画面中央部にあること、及び表示する画像の画質等を考慮して当業者が適宜に決めうる設計的事項にすぎないものである。
　iv．しかして、平面的な原画像を変形させて画面中央部が盛り上がったような立体的視覚効果が得られる画像を表示するという、前記周知の課題及び技術に基づいて、引用発明に示される、画面下部を基準に画面下部から画面上部に向かって画面上下方向の画素ライン及び画面左右方向の画素の両者を対象に、その選択数を徐々に少なくして表示することに代えて、画面中央部を基準にして、画面上部及び画面下部に向かって画面上下方向の画素ラインのみの選択数を徐々に少なくするとともに、該画面中央部に対応する部分で原画像と同様の画素ラインを選択するようにして、前記相違点に係る本件発明２のように構成することは、当業者が容易に想到できるものである。
　v．そして、本件発明２の作用効果は、引用発明に前記周知技術を適用したものにおいて当業者が容易に予測できるものである。
　　　
　（４）まとめ
　よって、本件発明２は、引用発明及び前記周知技術に基づいて当業者が容易に発明をすることができたものである。
　　　
３．本件発明１と引用発明との対比検討
　本件発明１は、本件発明２を含む上位概念の発明であるから、本件発明２が引用発明及び前記周知技術に基づいて当業者が容易に発明をすることができたものである以上、本件発明１は、引用発明及び前記周知技術に基づいて当業者が容易に発明できるものというべきであって、その作用効果も容易に予測できるものである。
　　　
４．むすび
　以上のとおりであるから、本件請求項１及び２に係る発明は、特許法第２９条第２項の規定により特許を受けることができない。
　したがって、本件請求項１及び２に係る発明についての特許は、拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年１月２７日（２００５．１．２７）